(57)【要約】【課題】軽量なフラットパネル型の熱交換器及びそれを用いた培養システムを提供する。【解決手段】培養液Ｌを収容する培養槽２と、培養槽２に配置された熱交換器１と、熱交換器１に地下水を供給する給水管３と、熱交換器１から地下水を排出する配水管４とを備えた培養システムであって、配水管４に吸引ポンプ７を設け、熱交換器１が、中空状に膨出した複数の突起部１１ａが千鳥状に配置された合成樹脂製のキャップシート１１と、突起部１１ａの内部に空気を密封するように、キャップシート１１の突起部１１ａの開口１１ｄ側に積層されたバックシート１２と、キャップシート１１の突起部１１ａの頂面１１ｂ側に積層された金属シート１３とを備え、金属シート１３に、突起部１１ａ間の中空部Ｓへ地下水を流入させる流入口１０ａと、中空部Ｓから地下水を流出させる流出口１０ｂとが形成されている。【選択図】図５
2018017405.tif 000002
【特許請求の範囲】
【請求項１】
中空状に膨出した複数の突起部が千鳥状に配置された合成樹脂製のキャップシートと、
前記突起部の内部に空気を密封するように、前記キャップシートの前記突起部の開口側に積層されたバックシートと、
前記キャップシートの前記突起部の頂面側に積層された金属シートと
を備え、
前記金属シートに、前記突起部間の中空部へ熱媒体としての流体を流入させる流入口と、前記中空部から前記流体を流出させる流出口とが形成された
ことを特徴とする、熱交換器。
【請求項２】
一の前記流入口と一の前記流出口とは、最短距離で隣接する前記突起同士の中心を結んだ第1の直線に直交する第２の直線と、当該流入口の中心と当該流出口とを結ぶ第３直線とが平行となる位置関係で配置されている
ことを特徴とする、請求項１記載の熱交換器。
【請求項３】
前記金属シートは、前記キャップシートと反対側の主表面にアルマイト処理を施したアルミニウム板である
ことを特徴とする、請求項1又は２記載の熱交換器。
【請求項４】
前記突起部は、中空円柱形状、又は前記頂面側の直径が前記開口側の直径よりも小さい中空円錐台形状を有し、
前記突起部の頂面の直径Ａと、前記突起部同士の最短距離Ｂと、前記突起部の高さＨとは、下記の関係式（１）及び（２）を満たす
ことを特徴とする、請求項１〜３のいずれか一項に記載の熱交換器。
Ａ＞Ｂ  ・・・（１）
Ａ＞Ｈ  ・・・（２）
【請求項５】
前記中空部及び突起部の合計容積に対する前記突起部の容積率が、７１％〜９９％である
ことを特徴とする、請求項４記載の熱交換器。
【請求項６】
前記突起部の側面が、前記中空円柱形状又は前記中空円錐台形状の中心軸線に対して、０°〜２９°の傾斜角度を有する
ことを特徴とする、請求項４又は５記載の熱交換器。
【請求項７】
培養資材を収容する培養槽と、
前記培養槽の底面上に配置された熱交換器と、
前記熱交換器に熱媒体を供給する供給流路と、
前記熱交換器から前記熱媒体を排出する排出流路と
を備えた培養システムであって、
前記熱交換器が、請求項１〜６のいずれか一項に記載の熱交換器である
ことを特徴とする、培養システム。
【請求項８】
前記排出流路に、前記熱交換器から前記熱媒体を吸引する吸引ポンプを設けた
ことを特徴とする、請求項７記載の培養システム。
【請求項９】
前記熱媒体は、地下水である
ことを特徴とする、請求項７又は８記載の培養システム。
【発明の詳細な説明】
【技術分野】
【０００１】
本発明は、熱交換器及び培養システムに係り、より詳細には、フラットパネル型の熱交換器、及び、それを用いて培養液等の培養資材を加温又は冷却する培養システムに関する。
【背景技術】
【０００２】
農作物の収穫量は、気温の影響を大きく受けるため、農作物の生育に適した温度環境を実現する温室等を使用した施設園芸が普及している。施設園芸においては、熱交換器により、温室内の空気を加温したり、培養槽に収容された培養液等の培養資材を直接加温したりすることによって、農作物の生育に適した温度環境が実現されている。
特に、培養槽内の培養資材は、温室内の空気よりも遙かに大きな熱容量を有しているため、蓄熱効果が高い。このため、培養資材を熱交換器で直接加温又は冷却して温度を維持する方が、温室内の空気を熱交換器で冷暖房するよりも、培養資材の蓄熱効果等を利用でき、効果的な熱利用ができる。
【０００３】
また、近年、地下水熱が、建物の冷暖房や融雪をはじめとする様々な用途に利用されている。例えば、下記の特許文献１には、地下水熱をヒートポンプで熱交換して利用する技術が記載されている。地下水は周年恒温であるため、地下水熱を冷暖房等に利用することにより省エネルギー効果が期待できる。
【先行技術文献】
【特許文献】
【０００４】
【特許文献１】特開２０１０−１１７０８１号公報
【発明の概要】
【発明が解決しようとする課題】
【０００５】
一般の熱交換器は、多数の金属配管を有する多管式、金属配管群を金属シェルで覆ったシェル・アンド・チューブ型、及び金属配管の表面に多数のフィンを形成したフィンチューブ型の熱交換器のように、熱伝導率の高い金属製の配管群で構成されている。このため、一般の熱交換器は重量物であり、熱交換器の搬送、設置、交換等の取り扱いは容易ではなかった。
【０００６】
また、シェル・アンド・チューブ型熱交換器を施設園芸の培養槽に設置した場合、熱交換器の頻繁な洗浄作業が不可欠であるが、熱交換器が重量物であることと、熱交換器の配管群の複雑な表面形状が、容易な洗浄作業の妨げとなっていた。
【０００７】
本発明は、上記の事情に鑑みなされたものであり、軽量なフラットパネル型の熱交換器、及びそれを利用した培養システムを提供することを目的としている。
【課題を解決するための手段】
【０００８】
第１の発明の熱交換器は、中空状に膨出した複数の突起部が千鳥状に配置された合成樹脂製のキャップシートと、前記突起部の内部に空気を密封するように、前記キャップシートの前記突起部の開口側に積層されたバックシートと、前記キャップシートの前記突起部の頂面側に積層された金属シートとを備え、前記金属シートに、前記突起部間の中空部へ熱媒体としての流体を流入させる流入口と、前記中空部から前記流体を流出させる流出口とが形成されたことを特徴としている。
【０００９】
また、第２の発明の培養システムは、培養資材を収容する培養槽と、前記培養槽の底面上に配置された熱交換器と、前記熱交換器に熱媒体を供給する供給流路と、前記熱交換器から前記熱媒体を排出する排出流路とを備えた培養システムであって、前記熱交換器が、上記の第１の発明の熱交換器であることを特徴としている。
【発明の効果】
【００１０】
本発明の熱交換器及び培養システムによれば、軽量なフラットパネル型の熱交換器、及びそれを利用した培養システムを提供することができる。
【図面の簡単な説明】
【００１１】
【図１】（ａ）は、本発明の実施形態に係る熱交換器の分解斜視図であり、（ｂ）は、（ａ）に示した熱交換器の斜視図である。
【図２】本発明の実施形態に係る熱交換器の断面模式図である。
【図３】（ａ）は、本発明の実施形態に係る熱交換器の横断面図であり、（ｂ）は、（ａ）の部分拡大図である。
【図４】本発明の別の実施形態に係る熱交換器の横断面図である。
【図５】本発明の実施形態に係る培養システムの模式図である。
【図６】図５中に示した型熱交換器のＡ−Ａ線に沿った断面模式図である。
【図７】平均外気温と藻類収穫量との関係を示すグラフである。
【発明を実施するための形態】
【００１２】
以下、図面を参照して本発明の熱交換器及び培養システムの実施形態を説明する。
まず、図１を参照して、本実施形態の熱交換器を説明する。図１（ａ）は、本発明の実施形態に係る熱交換器1の分解斜視図であり、図１（ｂ）は、図１（ａ）に示した熱交換器の斜視図である。また、図２は、熱交換器１の断面模式図である。
【００１３】
図１及び図２に示すように、本実施形態の熱交換器１は、フラットパネル形状を有し、硬質ポリプロピレン製のキャップシート１１と、キャップシート１１の一方の面に積層した硬質ポリプロピレン製のバックシート１２と、キャップシートの１２の他方の面に積層した金属シート１３とから構成されている。
【００１４】
キャップシート１１には、中空状に膨出した中空円柱形状の突起部１１ａが複数形成され、複数の突起部１１ａは、千鳥状に配置されている。
【００１５】
バックシート１２は、キャップシート１１の突起部１１ａの開口１１ｄ側に、開口１１ｄを密閉するように積層されている。バックシート１２は、キャップシート１１の非突起部の部分と固着し、これにより、突起部１１ａの内部Ａに空気が密封される。キャップシート１１とバックシート１２とは、熱溶着してもよいし、接着剤で接着してもよい。
【００１６】
なお、キャップシート１１及びバックシート１２の材料としては、硬質ポリプロピレンの他に、ポリエチレン等のポリオレフィン系樹脂、ポリスチレン等のポリスチレン系樹脂、ポリエチレンテレフタレート等のポリエステル系樹脂、ナイロン等のポリアミド系樹脂といった種々の合成樹脂を挙げることができる。特に、培養温度よりも高いガラス転移点（Tm）を有する、ポリスチレン（Tm＝１００℃）等のポリスチレン系樹脂、ポリエチレンテレフタレート（Tm＝６８℃，８１℃）等のポリエステル系樹脂、ナイロン（Tm＝４７℃，４９℃）等のポリアミド系樹脂がより好ましい。
【００１７】
金属シート１３は、キャップシート１１の突起部１１ａの頂面側１１ｂに積層されている。金属シート１３は、キャップシート１１の突起部１１ａの頂面１１ｂに固着している。なお、キャップシート１１と金属シート１３とは、熱溶着してもよいし、接着剤で接着してもよい。
【００１８】
そして、キャップシート１１と金属シート１３とに挟まれた空間、すなわち、キャップシート１１の突起部１１ａ間に、熱媒体としての地下水を流すための中空部Ｓが形成される。
【００１９】
さらに、図２に示すように、バックシート１２の外側には、カバーシート１４が設けられている。カバーシート１４の周囲を金属シート１３に接着して封止することにより、内部空間Ｓが封止される。なお、カバーシート１４を設ける代わりに、バックシート１２の周囲を金属シート１３に密着させることによって、内部空間Ｓを封止してもよい。
【００２０】
金属シート１３は、例えば、厚さ０．８〜２．５ｍｍのアルミニウム平板１３であり、キャップシート１１と反対側の主表面１３ａに、耐腐食性を高めるため、アルマイト処理が施されている。なお、金属シート１３の材料としては、アルマイト処理したアルミニウムの他、鉄、ステンレス、銅、そのほかの合金などを挙げることができる。また、金属シート１３の材料として、アルマイト処理されていないアルミニウムも挙げることができる。アルマイト処理されていないアルミニウムは、反応物質の含まれていない水又は温水に使用して好適である。
【００２１】
このように構成されたフラットパネル型の熱交換器１は、金属シート１３以外の部分が合成樹脂で形成されているため軽量である。また、金属シート１３の表面が平面であるため、金属シート１３の表面を容易に洗浄することができる。
【００２２】
ここで、図３を参照して、パネル形熱交換器１内部における熱媒体としての地下水の流れを説明する。図３（ａ）は、本発明の実施形態に係るパネル型熱交換器の横断面図であり、図３（ｂ）は、図３（ａ）の部分拡大図である。
【００２３】
アルミニウム平板１３には、図２に示すように、突起部１１ａ間の中空部Ｓへ熱媒体としての流体を流入させる流入口１０ａと、中空部Ｓから流体を流出させる流出口１０ｂとが形成されている。図３（ａ）に示すように、流入口１０ａ及び流出口１０ｂは、突起部１１ａ間に開口している。
なお、流入口１０ａ及び流出口１０ｂは、複数ずつ設けてもよい。また、流入口１０ａと流出口１０ｂとは同数であるのがよい。
【００２４】
図３（ａ）に示すように、金属シート１３の主表面に対して垂直方向に、流入口１０ａから中空部Ｓに流入した流体は、噴流となって四方へ広がる。中空部Ｓを流れる流体は、千鳥状に配置された突起部１１ａによって進路が妨害される結果、流入口１０ａと流出口１０ｂとを結ぶ最短経路ではなく、図３（ａ）に矢印で示すように、パネル型熱交換器１内の中空部Ｓに広がって流れる。このとき、突起部１１ａの内部には空気が密閉されているため、流体の進路が突起部１１ａによって妨害されるときに、流体から突起部１１ａの側面１１ｃを介して突起部１１ａの内部へは熱が伝達されにくく、より高い熱伝導率を有する金属シート１３側に流体の熱が伝達される。このように、熱媒体としての地下水が中空部Ｓに広がって流れるため、金属シート１３の主表面の温度分布の均一化を図ることができる。
【００２５】
特に、各突起部１１aが６つの突起部１１aと隣接するように千鳥状に配置されている場合には、図４に示すように、一つの円形の流入口１０ａと一つの円形の流出口１０ｂとが、最短距離で隣接する円柱形状又は円錐形状の突起同士の中心を結んだ第1の直線Ｉに直交する第２の直線IIと、当該流入口１０aの中心と当該流出口１０ｂとを結ぶ第３直線IIIとが平行となる位置関係で配置されていることが好ましい。一つの円形の流入口１０ａと一つの円形の流出口１０ｂとをこのように配置することにより、突起部１１aによる流体の進路妨害効果が最大となり、金属シート１３からの効率的な発熱を得ることができる。
【００２６】
なお、熱交換器１が、複数の流入口１０aと複数の流出口１０ｂを有する場合には、互いに直近の一つの流入口１０aと一つの流出口１０ｂとが上記の平行となる位置関係で配置されていることが好ましい。例えば、一つの流入口１０aに着目すると、その一つの流入口１０aと、複数の流出口１０ｂのうちの、その一つの流入口１０aから最短距離に位置する一つの流出口１０ｂとが、上記位置関係で配置されていることが好ましい。換言すれば、一つの流出口１０ｂに着目すると、その一つの流出口１０ｂと、複数の流入口１０aのうちの、その一つの流出口１０ｂから最短距離に位置する一つの流入口１０aとが、上記位置関係で配置されていることが好ましい。
【００２７】
また、図３（ｂ）に示す突起部１１ａの頂面１１ｂの直径Ａと、突起部１１ａ同士の最短距離Ｂとは、下記の関係式（１）を満たすことが好ましい。
Ａ＞Ｂ  ・・・（１）
【００２８】
さらに、中空部Ｓと突起部１１ａとの合計容積に対する突起部１１ａの容積率は、７１〜９９％であることがより好ましい。
本実施形態では、例えば、直径Ａ＝１５ｍｍ、最短距離Ｂ＝１ｍｍであり、容積率は７７％である。
【００２９】
このように、突起部１１ａの直径Ａを、突起部同士の最短距離Ｂよりも大きくすることにより、さらに、突起部１１ａの容積率を７１％〜９９％とすることにより、中空部Ｓを流れる地下水に突起部１１ａにより効果的に擾乱を与えることができる。その結果、金属シート１３の主表面の温度分布の一層の均一化を図ることができる。
【００３０】
また、突起部１１ａの頂面１１ｂの直径Ａと、突起部１１ａの高さ（即ち、中空部Ｓの高さ）Ｈと下記の関係式（２）を満たすことが好ましい。
Ａ＞Ｈ  ・・・（２）
【００３１】
このように、突起部１１ａの高さＨを突起部の直径Ａよりも低くすれば、突起部１１ａの傾斜により中空部Ｓが潰れる可能性を低減することができ、フラットパネルの形態を安定化させることができる。
本実施形態では、例えば、直径Ａ＝１５ｍｍに対して、高さＨ＝８ｍｍである。
【００３２】
さらに、突起部１１ａの高さＨは、３ｍｍ〜１００ｍｍが好ましい。突起部１１ａの高さＨが３ｍｍよりも低いと、中空部Ｓを流れる流体の流動抵抗が大きくなって好ましくない。一方、突起部１１ａの高さＨが１００ｍｍよりも高いと、中空部Ｓを流れる流体の流量の増大により、キャップシート１１の突起部１１ａの頂部１１ｂと金属シート１３との固着状態を維持するのに必要な要求耐圧も高くなってしまう。突起部１１ａの高さＨを１００ｍｍ以下とすることによって、中空部Ｓを流れる流体の圧力の増大を抑制し、中空部Ｓを構成するキャップシート１１と金属シート１３との剥離を防止することができる。
【００３３】
また、本実施形態では、突起部１１ａを中空円柱形状としているが、突起部１１ａを中空円錐台形としてもよい。
【００３４】
また、突起部１１ａは、中空円柱形状に限定されず、頂面１１ｂ側の直径が開口１１ｄ側の直径よりも小さい中空円錐台形状（中空の切頭円錐形状）とすることもできる。その場合、突起部１１ａの側面１１ｃが、中空円錐台形状の中心軸線（金属シート１３の主表面１３ａの法線）に対して、０°〜２９°の傾斜角度を有することが好ましい。傾斜角度が２９°以下であれば、突起部１１ａの頂面１１ｂに、金属シート１３との十分な接着面積を確保することができ、その結果、流体の圧力によって金属シート１３が突起部１１の頂面１１ｂから剥離する可能性を低減することができる。
なお、突起部１１ａを中空円錐台形状とした場合も、突起部１１ａの頂部の直径Ａを、突起部同士の頂部の最短距離Ｂよりも大きくすることが好ましく、さらに、突起部１１ａの容積率を７１％〜９９％とすることがより好ましい。
【００３５】
また、突起部１１ａを中空円柱形状とすれば、突起部１１ａが傾斜する可能性を低減させることができる。また、突起部１１ａを中空円柱形状とすれば、中空部Ｓを流れる熱媒体としての流体と、伝熱部材としての金属シート１３との接触面積が増加するため、熱交換効率の向上を図ることができるとともに、中空部Ｓを流れる流体と、バックシート１２との接触面積が減少するため、バックシート１２側への熱の移動を低減することができる。
【００３６】
次に、図５を参照して、図１〜図３に示したフラットパネル型の熱交換器１を利用した培養システムを説明する。図５は、本実施形態の培養システムの模式図である。図５に示すように、本実施形態の培養システムは、培養資材である培養液Ｌを収容する培養槽２と、培養槽２の底面２ａに接触して設置された熱交換器１と、熱交換器１に熱媒体としての地下水を供給する供給管３と、パネル型熱交換器１から熱媒体を排出する排出管４とを備えている。供給管３の一端は、揚水井戸５に配置され、一方、排出管４の一端は、還水井戸６に配置されている。
【００３７】
ところで、供給管３にポンプを配設した場合には、熱交換器１の中空部Ｓに、地下水を流動抵抗に打ち勝つ圧力で注入しなければならない。その結果、熱交換器１の中空部Ｓ内は陽圧となり、金属シート１３をキャップシート１１から引き剥がそうとする力が働く。このため、長期間の使用により、金属シート１３がキャップシート１１から剥離するおそれがある。
【００３８】
そこで、本実施形態の培養システムでは、排出管４に吸引ポンプ７を配設し、この吸引ポンプ７により熱交換器１の中空部Ｓから地下水を吸引する。これにより、熱交換器１の内部は、負圧に保たれ、中空部Ｓを流れる地下水の圧力によって金属シート１３がキャップシート１１から剥離する可能性が低減される。
なお、吸引ポンプ７は、排出管４に配置されていればよく、吸引ポンプ７は、排出管４の途中に設置してもよいし、排出管４の端部に設置してもよい。
【００３９】
図６に、図５に示した培養システム型熱交換器１のＡ−Ａ線に沿った断面模式図を示す。図６に示すように、パネル型熱交換器１は、その四隅で、ブラケット８１及び８２によって、培養槽２の側壁２ｂに取り付けられている。なお、図５では、ブラケット８１及び８２の図示を省略している。
【００４０】
ブラケット８１はＬ字形状の金具であり、ブラケット８２は、金属製のコの字形状の金具である。Ｌ字形ブランケット８１の一端側は、熱交換器1の金属シート１３の主表面１３ａに溶接されている。Ｌ字形のブラケット８１と培養槽２の側壁２ｂとをコの字形のブラケット８２で挟んでねじで固定するようにしたことにより、熱交換器１の設置深さを調節することができる。また、ねじを緩めることにより、パネル型熱交換器１を培養槽２から容易に引き上げることができる。なお、本実施形態では、熱交換器１を、培養槽２の底面２ａに接触させて設置しているが、熱交換器１を培養槽２の底面２ａから離間して設置してもよい。
【００４１】
培養槽２の底面２ａ上に載置された熱交換器１には、培養槽２に収容された培養液Ｌの水圧がかかる。このとき、内部Ａに空気が密封された突起部１１ａが支柱として機能するため、突起部１１ａの周りの中空部Ｓは、水圧に押し潰されずに確保される。このように、パネル型熱交換器１では、金属よりも剛性の低い合成樹脂製のキャップシートで中空部Ｓを確保することができ、金属配管を必要とせず、熱交換器１の軽量化を図ることができる。
【００４２】
また、突起部１１ａは、内部に空気が密封されているため、高い断熱性を有する。このため、支柱としての突起部１１ａを通って、金属シート１３側からバックシート１２側へ熱が移動することを低減することができる。特に、突起部１１ａを中空円錐台形状とした場合には、中空円柱系状とした場合よりも中空部Ｓを流れる流体と、バックシート１２との接触面積が減少するため、バックシート１２を介して培養槽2の底面２ａへ熱の移動をより低減することができる。
【００４３】
次に、上述した培養システムによる、水性植物である藻類の培養例を説明する。
まず、図７は、平均外気温と藻類収穫量との関係を示すグラフを示す。グラフの横軸は、平均外気絶対温度の逆数（Ｋ−１）に１０３を乗じた値を表し、縦軸は、１ヘクタールあたりの年間収穫量（トン）を対数表示で表している。グラフ中に、藻類の収穫量を、アウレニウス解析手段を用いてプロットした。プロットに基づく線Ｉに示すように、藻類の収穫量は、平均外気温が１５℃以上２５℃未満のときには、温度依存性がなく、高い収穫量が得られる一方、平均外気温が１５℃未満では、温度依存性を有し、平均外気温が低下するに従って収穫量も低下する。
【００４４】
地下水は、年間を通じて、藻の培養温度に適した水温（例えば１５℃〜１７℃）を保っている。この地下水をパネル型熱交換器１に直接通水することにより、培養液Ｌの水温が低いときには培養液Ｌを加温し、一方、水温が高いときには培養液Ｌを冷却して、培養液Ｌの水温を一定範囲内に維持することができる。
【００４５】
本実施形態では、水深２０ｃｍの培養液Ｌを収容した培養槽２の底面２ａにパネル型熱交換器１を設置した。そして、パネル型熱交換器１に、水温１７℃の地下水を、金属シート１３の表面積１ｍ２あたり毎時４８０リットルの定流量で通水した。金属シート１３に沿った表面流速は、毎秒０．２８ｍであった。その結果、外気温が０℃〜１７℃の範囲で変化する環境下で、培養槽２の培養液Ｌの液温は、１０℃〜１５℃の範囲に保つことができ、実験期間の１週間の平均液温は、１３℃であった。
【００４６】
図７に示したグラフにおいて、培養液Ｌの平均液温が、平均外気温と実質的に同じであると仮定すると、平均液温１３℃（すなわち、逆数は、３．５０×１０−３（Ｋ−１）で周年栽培した場合の藻類の１ヘクタールあたりの年間収穫量は、図７のグラフから、２４．２トンとなる。
【００４７】
これに対し、外気温が０℃〜１７℃の範囲で変化する同じ環境下で、熱交換器１を設置しなかった比較例では、培養槽２の培養液Ｌの液温は、０℃〜１５℃の範囲で変化し、実験期間の１週間の平均液温は、７℃（逆数は、３．５７×１０−３（Ｋ−１））であった。平均液温７℃で周年栽培した場合の藻類の１ヘクタールあたりの年間収穫量は、図７のグラフから、１３．５トンとなる。
このように、地下水を熱媒体とした熱交換器１を使用した場合の平均液温で藻類を周年培養した場合の年間収穫量（２４．２トン）は、加温効果により、熱交換器１を使用しない場合の平均液温で藻類を周年培養した場合の年間収穫量（１３．５トン）の約２倍となることが分かる。
【００４８】
以上、本発明の実施形態を説明したが、本発明は、上述した実施形態に限定されるものではなく、本発明の範囲で種々の変更実施が可能である。例えば、本発明では、バックシートも金属シートとし、キャップシートの両側に金属シートを積層した構成とすることもできる。その場合、流入口及び流出口は、一方の金属シートにのみ形成してもよいし、両方の金属シートに形成してもよい。また、一方の金属シートに流入口を形成し、他方の金属シートに流出口を形成してもよい。
【００４９】
また、上述した実施形態では、熱交換器に、地下水を直接流通させた例を説明したが、本発明では、熱交換器に流通させる熱媒体は、地下水に限定されない。例えば、熱交換器には、地下水熱を利用してヒートポンプにより温度調節した熱媒体を環流させてもよいし、地下水熱を利用せずに温度調節した熱媒体を環流させてもよい。
【００５０】
また、上述した実施形態では、アルミニウムの平板を備えた熱交換器の例を説明したが、本発明では、熱交換器の伝熱面は、平面形状に限定されず、湾曲又は屈曲した形態を有してもよい。
【産業上の利用可能性】
【００５１】
本発明の培養システムは、培養土や培養液のような培養資材の温度管理を行う施設園芸、例えば藻類培養に利用して好適である。また、本発明の熱交換器は、培養システムの他、種々の空気調和設備にも利用可能である。
【符号の説明】
【００５２】
１  熱交換器
２  培養槽
２ａ  底面
２ｂ  側壁
３  給水管
４  排水管
５  揚水井戸
６  還水井戸
７  吸引ポンプ
１０ａ  流入口
１０ｂ  流出口
１１  キャップシート
１１ａ  突起部
１１ｂ  頂部
１１ｃ  側面
１１ｄ  開口
１２  バックシート
１３  金属シート（アルミニウム板）
１４  カバーシート
８１，８２  ブラケット
【図１】
2018017405.tif 000003
【図２】
2018017405.tif 000004
【図３】
2018017405.tif 000005
【図４】
2018017405.tif 000006
【図５】
2018017405.tif 000007
【図６】
2018017405.tif 000008
【図７】
2018017405.tif 000009